(57)【特許請求の範囲】
【請求項１】
端末装置が、サービングノードＢからのアップリンクサブキャリアをアクティブにするコマンドを受信した後、現在の時間を基準に、取得したサブキャリアのアクティブ処理オフセット時間に基づき、遅延した後の第１のタイミングにおいて、非サービングノードＢのサブキャリアの強化型専用チャネルのアクティブセット中のセルにて同期を行うステップを含むことを特徴とするサブキャリアセルの同期方法。
【請求項２】
前記第１のタイミング＝（接続フレーム番号+フレームオフセット数）ｍｏｄ  ２５６（その中、接続フレーム番号は前記現在の時間を示し、フレームオフセット数は前記サブキャリアのアクティブ処理オフセット時間を表し、ｍｏｄは剰余演算を表す）の式に従って前記第１のタイミングを算出することを特徴とする請求項１に記載の方法。
【請求項３】
前記端末装置が、
ＲＮＣからの前記サブキャリアのアクティブ処理オフセット時間を含むシステムメッセージを受信する、又は、
ダブルキャリアの高速アップリンクパケットアクセスリソースを構築、又は再配置又は増加する際、前記ＲＮＣからの前記サブキャリアのアクティブ処理オフセット時間を受信する方式によって前記サブキャリアのアクティブ処理オフセット時間を取得することを特徴とする請求項１に記載の方法。
【請求項４】
前記端末装置が、高速共有制御チャネルコマンドを介し、前記サービングノードＢからの前記アップリンクサブキャリアをアクティブにするコマンドを受信し、前記アップリンクサブキャリアをアクティブにするコマンドを受信した後、高速ダウンリンク共有チャネルの専用物理制御チャネルを介し、前記アップリンクサブキャリアをアクティブにするコマンドに応答する確認メッセージを前記サービングノードに送信することを特徴とする請求項１に記載の方法。
【請求項５】
前記端末装置が、前記現在の時間を第２のタイミングとし、前記サービングノードＢのサブキャリアの強化型専用チャネルのアクティブセット中のセルにて同期を行うステップをさらに含むことを特徴とする請求項１に記載の方法。
【請求項６】
前記端末装置が前記現在の時間を基準に、取得したサブキャリアのアクティブ処理オフセット時間に基づき、遅延した後の第１のタイミングにおいて、前記サービングノードＢのサブキャリアの強化型専用チャネルのアクティブセット中のセルにて同期を行うステップをさらに含むことを特徴とする請求項１に記載の方法。
【請求項７】
前記現在の時間が、前記端末装置が前記アップリンクサブキャリアコマンドを受信した時間であることを特徴とする請求項１乃至６の中のいずれかに記載の方法。
【請求項８】
前記現在の時間が、前記端末装置が前記アップリンクサブキャリアコマンドを受信したことを前記サービングノードに確認する時間であることを特徴とする請求項１乃至６の中のいずれかに記載の方法。
【請求項９】
サービングノードＢからのアップリンクサブキャリアをアクティブにするコマンドを受信する受信ブロックと、
サブキャリアのアクティブ処理オフセット時間を取得する取得ブロックと、
現在の時間を基準に、前記サブキャリアのアクティブ処理オフセット時間に基づき、遅延した後の第１のタイミングにおいて、非サービングノードＢのサブキャリアの強化型専用チャネルのアクティブセット中のセルにて同期を行う同期ブロックと、を含むことを特徴とする端末装置。
【請求項１０】
前記第１のタイミング＝（接続フレーム番号+フレームオフセット数）ｍｏｄ  ２５６（その中、接続フレーム番号は前記現在の時間を表し、フレームオフセット数は前記サブキャリアのアクティブ処理オフセット時間を表し、ｍｏｄは剰余演算を表す）の式に従って、前記第１のタイミングを算出する算出ブロックを更に含むことを特徴とする請求項９に記載の端末装置。
【発明の詳細な説明】
【技術分野】
【０００１】
本発明は、通信分野に関し、具体的には、サブキャリアセル同期方法及び端末装置に関する。
【背景技術】
【０００２】
既存システムにおいて、高速アップリンクパケットアクセス技術は、アップリンク方向において容量及びデータ処理量を改善し、専用チャネルにおける遅延を低減することをその目的としている。高速アップリンクパケットアクセス技術は、新たな伝送チャネルである強化型専用チャネルを導入し、物理層及び媒体アクセス制御層の実現を改善し、最大の理論的なアップリンクデータレートは５.６兆ビット/秒である。高速アップリンクパケットアクセス技術は、ソフトハンドオフの特性を保有し、端末装置の場合、強化型専用チャネルのアクティブセット（active-set）が存在する。強化型専用チャネルのアクティブセットにおいて、端末装置がノードＢからの絶対許容スケジューリングを受けるセルをサービング強化型専用チャネルセルと称し、対応する無線リンク（つまり、当該セルにおける無線リンク）をサービング強化型専用チャネルの無線リンクと称する。強化型専用チャネルのアクティブセットにおいて、少なくとも、サービング強化型専用チャネルセルを含み、端末装置が同一の相対許容を受け付け、また合併できるセル集合をサービング強化型専用チャネルセル集合と称し、対応する無線リンク集合（つまり、当該各セルにおける各無線リンクの集合）をサービング強化型専用チャネル無線リンク集合と称する。強化型専用チャネルのアクティブセットにおいて、サービング強化型専用チャネルセル集合に属さないセルを非サービング強化型専用チャネルセルと称し、対応する無線リンク（つまり、当該セルにおける無線リンク）を非サービング強化型専用チャネル無線リンクと称する。
【０００３】
技術の発展に伴い、ダブルキャリアの高速アップリンクパケットアクセス技術（当該技術によると、端末装置は二つのキャリアにおいて高速アップリンクパケットアクセス技術によってデータを送信することができ、アップリンクのデータレートが倍になる）を既存システムに導入することが要望されている。ダブルキャリアにおける高速専用物理制御チャネルを含むキャリアをメインキャリアと称し、ダブルキャリアにおける残りの他のキャリアをサブキャリアと称する。端末装置の場合、ダブルキャリアにおける各層のキャリアはそれぞれ独立した強化型専用チャネルアクティブセットを持っている。サブキャリア層の周波数の場合、サブキャリアの強化型専用チャネルのアクティブセットにおいて、サブキャリアのサービング強化型専用チャネル無線リンクが属すノードＢをサービングノードＢと称し、他のノードＢを非サービングノードＢと称する。
【０００４】
サービングノードＢは、サブキャリアのアクティブ及びデアクティブを制御する。サービングノードＢはエアーコマンドを介し、端末装置にサブキャリアのアクティブ及びデアクティブを通知する。サブキャリアがアクティブになった場合、端末装置は当該エアーコマンドを受信したことをサービングノードＢに確認し、サブキャリアの強化型専用チャネルのアクティブセット中の各セルにて同期を行う。サービングノードＢは、端末装置がサブキャリアのサービングセルにて同期を実現したことを検出した後、無線ネットワークコントローラに無線リンク回復を報告する。
【０００５】
このようなサービングノードＢによりサブキャリアのアクティブとデアクティブを制御する制御モードにおいて、端末装置が非サービングノードＢのサブキャリアの強化型専用チャネルのアクティブセット中のセルにて同期を行う問題が存在する。このような端末装置の場合、非サービングノードＢの端末装置のコンテキストにサブキャリアを受信、送信するセルのみが含まれ、メインキャリアを受信、送信するセルが含まれていないので、非サービングノードＢは、端末装置がずっとメインキャリア周波数で受信、送信して取得したメインキャリアと、サブキャリア物理層の位相参照差を把握することができず、その結果、端末装置が非サービングノードＢのサブキャリアの強化型専用チャネルのアクティブセット中のセルにて同期を行う際、非サービングノードＢと端末装置は更に大きい検索窓を用いて同期を検出しなければならなくなり、同期の遅延及びセル間の干渉が増え、セルの容量（capacity）及びカバー範囲に影響を与えてしまう。
【発明の概要】
【発明が解決しようとする課題】
【０００６】
本発明は、関連技術において、端末装置が非サービングノードＢのサブキャリアの強化型専用チャネルのアクティブセット中のセルにて同期を行う場合、非サービングノードＢと端末装置が更に大きい検索窓を用いて同期を検出しなければならないので、同期遅延及びセル間の干渉が増え、セルの容量及びカバー範囲に影響を与えてしまう問題に鑑み、これらの問題における少なくとも一つを解決できる改善されたサブキャリアセル同期方法を提供することを目的とする。
【課題を解決するための手段】
【０００７】
上記の目的を実現するため、本発明の一態様によると、サブキャリアセル同期方法を提供する。
【０００８】
本発明のサブキャリアセル同期方法は、端末装置が、サービングノードＢからのアップリンクサブキャリアをアクティブにするコマンドを受信した後、現在の時間を基準に、取得したサブキャリアのアクティブ処理オフセット時間に基づき、遅延した後の第１のタイミングにおいて、非サービングノードＢのサブキャリアの強化型専用チャネルのアクティブセット中のセルにて同期を行うステップを含む。
【０００９】
第１のタイミング＝（接続フレーム番号+フレームオフセット数）ｍｏｄ  ２５６（その中、接続フレーム番号は現在の時間を示し、フレームオフセット数はサブキャリアのアクティブ処理オフセット時間を表し、ｍｏｄは剰余演算を表する）の式に従って第１のタイミングを算出することが好ましい。
【００１０】
端末装置が、ＲＮＣからのサブキャリアのアクティブ処理オフセット時間を含むシステムメッセージを受信する、又は、ダブルキャリアの高速アップリンクパケットアクセスリソースを構築又は再配置又は増加する際、端末装置がＲＮＣからのサブキャリアのアクティブ処理オフセット時間を受信する方式によってサブキャリアのアクティブ処理オフセット時間を取得することが好ましい。
【００１１】
端末装置が、高速共有制御チャネルコマンドを介し、サービングノードＢからのアップリンクサブキャリアをアクティブにするコマンドを受信し、アップリンクサブキャリアをアクティブにするコマンドを受信した後、高速ダウンリンク共有チャネルの専用物理制御チャネルを介し、アップリンクサブキャリアをアクティブにするコマンドに応答する確認メッセージをサービングノードに送信することが好ましい。
【００１２】
上記方法が、端末装置が現在の時間を第２のタイミングとし、サービングノードＢのサブキャリアの強化型専用チャネルのアクティブセット中のセルにて同期を行うステップをさらに含むことが好ましい。
【００１３】
上記方法が、端末装置が現在の時間を基準に、取得したサブキャリアのアクティブ処理オフセット時間に基づき、遅延した後の第１のタイミングにおいて、サービングノードＢのサブキャリアの強化型専用チャネルのアクティブセット中のセルにて同期を行うステップをさらに含むことが好ましい。
【００１４】
現在の時間が、端末装置がアップリンクサブキャリアコマンドを受信した時間であることが好ましい。
【００１５】
現在の時間が、端末装置がアップリンクサブキャリアコマンドを受信したことをサービングノードに確認する時間であることが好ましい。
【００１６】
上記目的を実現するために、本発明の他の一態様によると、端末装置を提供する。
【００１７】
本発明による端末装置は、サービングノードＢからのアップリンクサブキャリアをアクティブにするコマンドを受信する受信ブロックと、サブキャリアのアクティブ処理オフセット時間を取得する取得ブロックと、現在の時間を基準に、サブキャリアのアクティブ処理オフセット時間に基づき、遅延した後の第１のタイミングにおいて、非サービングノードＢのサブキャリアの強化型専用チャネルのアクティブセット中のセルにて同期を行う同期ブロックと、を含む。
【００１８】
上記端末装置が、第１のタイミング＝（接続フレーム番号+フレームオフセット数）ｍｏｄ  ２５６（その中、接続フレーム番号は現在の時間を表し、フレームオフセット数はサブキャリアのアクティブ処理オフセット時間を表し、ｍｏｄは剰余演算を表す）の式に従って第１のタイミングを算出する算出ブロックを更に含むことが好ましい。
【発明の効果】
【００１９】
本発明によると、端末装置がサブキャリアのアクティブ処理オフセット時間だけ遅延した後のタイミングにおいて、非サービングノードＢのサブキャリアの強化型専用チャネルのアクティブセット中のセルにて同期を行うことによって、関連技術において端末装置が非サービングノードＢのサブキャリアの強化型専用チャネルのアクティブセット中のセルにて同期を行う場合、非サービングノードＢと端末装置が更に大きい検索窓を用いて同期を検出しなければならないので、同期の遅延及びセル間の干渉が増え、セルの容量及びカバー範囲に影響を与える問題を解決し、同期に必要な遅延を低減し、当該期間によるセル間の干渉を低減し、セルの容量及びカバー範囲に影響を与えることを避けることができる。
【００２０】
ここで説明する図面は本発明を理解するためのものであり、本発明の一部を構成し、本発明における実施例と共に本発明を解釈し、本発明を不当に限定するものではない。
【図面の簡単な説明】
【００２１】
【図１】本発明の実施例に係るサブキャリアのセルの同期方法を示すフローチャートである。
【図２】本発明の実施例に係る応用例を示す図である。
【図３】本発明の実施例１に係る処理フローを示す図である。
【図４】本発明の実施例２に係る処理フローを示す図である。
【図５】本発明の実施例３に係る処理フローを示す図である。
【図６】本発明の実施例４に係る処理フローを示す図である。
【図７】本発明の実施例に係る端末装置の構成を示す図である。
【図８】本発明の実施例に係る好適な端末装置の構成を示す図である。
【発明を実施するための形態】
【００２２】
ここで、互いに矛盾しない限り、本願の実施例及び実施例に記載の特徴を組み合わせることができる。以下、図面を参照しつつ、実施例にあわせ、本発明を説明する。
【００２３】
以下の実施例において、図面の中のフローチャートに示すステップはコマンド実行可能の一組のコンピュータシステムにおいて実行することができ、また、フローチャートに論理的な順位を示しているが、場合によっては他の順で図面に示した、又は記載したステップを実行することができる。
【００２４】
以下の実施例を更に明確に説明するために、先ず、以下の実施例に係わる技術用語を詳しく説明する。
【００２５】
接続フレーム番号（Connection  Frame  Number  (counter)、以下ＣＦＮと略称）：
接続フレーム番号は、汎用の移動通信システムにおける陸地無線アクセスネットワーク（ノードＢと無線ネットワークコントローラを含む）と端末装置との間の層２によって用いられる共通のフレーム参照に供する。実質上、接続フレーム番号は、フレームカウンターであり、汎用の移動通信システムにおける陸上無線アクセスネットワーク（ノードＢと無線ネットワークコントローラを含む）と端末装置との間の層２によるチャネル同期の伝送に用いられる。１ブロックの伝送データの場合、エアーインターフェースの受信側又は送信側の二つの端末は同一の接続フレーム番号を有する。接続フレーム番号は、エアーインターフェースで伝送されるものではない。各セルのシステムフレーム番号（System  Frame  Number  (counter)、以下ＳＦＮと略称）は、セルの放送チャネルにて伝送され、エアーインターフェースの両端において、接続フレーム番号とシステムフレーム番号のマッピング関係に基づいて、両端の接続フレーム番号を一致させることができる。接続フレーム番号の値は０〜２５５フレームの間であって、２５６フレームを１周期として循環する。現在の無線アクセス技術において、１フレームの長さは１０ミリ秒である。
【００２６】
高速ダウンリンク共有チャネルの専用物理制御チャネル(Dedicated  Physical  Control  Channel  (uplink)  for  HS-DSCH、以下、ＨＳ−ＤＰＣＣＨと略称)：
高速ダウンリンク共有チャネルの専用物理制御チャネルは、高速ダウンリンク共有チャネルのアップリンクフィードバック情報を運ぶものである。アップリンクフィードバック情報は、ノードＢに当該データパケットが正確に受信できたか否かを通知するための確認又は非確認情報と、ノードＢに所定のタイミングにおける端末装置の所望の受信データレートを通知するためのチャネル品質情報(Channel  Quality  Information、以下、ＣＱＩと略称)を含む。
【００２７】
高速共有制御チャネル(High-Speed  Share  Control  Channel、以下、ＨＳ−ＳＣＣＨと略称)：
高速共有制御チャネルは、高速ダウンリンク共有チャネルの専用物理データチャネルの制御情報を運ぶためのダウンリンクチャネルである。当該情報は、チャネルコード集合、変調案、伝送ブロックサイズ、高速混合自動再送信の処理番号、冗長及びコンステレーションエディションナンバーパラメータ（Constellation  Edition  No.）、新しいデータマーク、端末装置マーク、高速共有制御チャネルコマンド(HS-SCCH ORDER)を含む。
【００２８】
関連技術における端末装置が非サービングノードＢのサブキャリアの強化型専用チャネルのアクティブセット中のセルにて同期を行う場合、非サービングノードＢと端末装置が更に大きい検索窓を用いて同期を検出しなければならないので、同期遅延及びセル間の干渉が増え、セルの容量及びカバー範囲に影響を与えてしまう問題に鑑み、本実施例においてサブキャリアセル同期方法、即ち、ダブルキャリアの高速アップリンクパケットアクセス技術においてサブキャリアをアクティブにしている端末装置がサブキャリアの強化型専用チャネルのアクティブセット中の各セルにて同期を実現する方法を提供し、端末装置はサブキャリアのアクティブ処理オフセット時間だけ遅延した後のタイミングにおいて、非サービングノードＢのサブキャリアの強化型専用チャネルのアクティブセット中のセルにて同期を行って、非サービングノードＢと端末装置が更に大きい検索窓を用いて同期を検出しなければならないことによって、同期遅延及びセル間の干渉が増え、セルの容量及びカバー範囲に影響を与えてしまう問題を解決する。
【００２９】
図１は、本発明の実施例に係るサブキャリアセル同期方法を示すフローチャートであり、図１に示すように、以下のステップＳ１０２〜ステップＳ１０４を含む。
【００３０】
端末装置は、サービングノードＢからのアップリンクサブキャリアをアクティブするコマンドを受信する（ステップＳ１０２）。即ち、端末装置はサービングノードＢからアップリンクサブキャリアをアクティブするコマンドを受信し、また、当該ステップにおいて、端末装置がコマンドを受信したことをサービングノードＢに確認をするステップを含むことができる。
【００３１】
端末装置は、現在の時間を基準に、取得したサブキャリアのアクティブ処理オフセット時間に基づき、遅延した後の第１のタイミングにおいて、非サービングノードＢのサブキャリアの強化型専用チャネルのアクティブセット中のセルにて同期を行う（ステップＳ１０４）。即ち、端末装置は、現在の時間を基準に、サブキャリアのアクティブ処理オフセット時間だけ遅延した後のタイミングにおいて、非サービングノードＢのサブキャリアの強化型専用チャネルのアクティブセット中のセルにて同期を行う。
【００３２】
ここで、異なるノードＢが同一のサブキャリアのアクティブ処理オフセット時間を有することができる。また、異なるノードＢが異なるサブキャリアのアクティブ処理オフセット時間を有することができる。サブキャリアの強化型専用チャネルのアクティブセット中の異なるセルが異なるサブキャリアのアクティブ処理オフセット時間を有することができる。
【００３３】
下式に従って第１のタイミングを算出することが好ましい。第１のタイミング＝（接続フレーム番号+フレームオフセット数）ｍｏｄ  ２５６、その中、接続フレーム番号は、現在の時間を示し、フレームオフセット数はサブキャリアのアクティブ処理オフセット時間を示し、ｍｏｄは剰余演算を行うことを示す。即ち、サブキャリアのアクティブ処理オフセット時間を、フレームオフセット数で表すことができ、現在の時間を接続フレーム番号で表すことができる。現在の時間を基準に、サブキャリアのアクティブ処理オフセット時間だけ遅延した後のタイミングを算出する式は、当該タイミング＝（接続フレーム番号+フレームオフセット数）ｍｏｄ  ２５６である。
【００３４】
端末装置は、システムメッセージを介し、ＲＮＣによって報知する方式、またはダブルキャリアの高速アップリンクパケットアクセスリソースを構築又は再配置又は増加する際にＲＮＣによって報知する方式によってサブキャリアのアクティブ処理オフセット時間を予め取得することができる。即ち、端末装置が以下の二つの方式によってサブキャリアのアクティブ処理オフセット時間を取得することができる。
【００３５】
方式１、端末装置がＲＮＣからのシステムメッセージを受信する。その中、システムメッセージにサブキャリアのアクティブ処理オフセット時間が含まれる。
【００３６】
方式２、ダブルキャリアの高速アップリンクパケットアクセスリソースを構築又は再配置又は増加する際に、端末装置がＲＮＣからのサブキャリアのアクティブ処理オフセット時間を受信する。
【００３７】
端末装置は、高速共有制御チャネルコマンドを介してサービングノードＢからのアップリンクサブキャリアをアクティブにするコマンドを受信し、アップリンクサブキャリアをアクティブにするコマンドを受信した後、高速ダウンリンク共有チャネルの専用物理制御チャネルを介し、アップリンクサブキャリアをアクティブにするコマンドに応答する確認メッセージをサービングノードに送信することができる。
【００３８】
端末装置は、サービングノードＢのサブキャリアの強化型専用チャネルのアクティブセット中のセルにて同期を行うことができ、例えば、端末装置は現在時間を第２のタイミングとし、サービングノードＢのサブキャリアの強化型専用チャネルのアクティブセット中のセルにて同期を行うことができ、または、端末装置は現在の時間を基準に、取得したサブキャリアのアクティブ処理オフセット時間に基づき、遅延した後の第１のタイミングにおいて、サービングノードＢのサブキャリアの強化型専用チャネルのアクティブセット中のセルにて同期を行うこともできる。即ち、端末装置は現在の時間をタイミングとし、サービングノードＢのサブキャリアの強化型専用チャネルのアクティブセット中のセルにて同期を行うことができ、又は現在の時間を基準に、サブキャリアのアクティブ処理オフセット時間だけ遅延した後のタイミングにおいて、サービングノードＢのサブキャリアの強化型専用チャネルのアクティブセット中のセルにて同期を行うことができる。
【００３９】
上記の現在の時間の好適な取得方法は次のような二つがあるが、これに限定されることはない。
【００４０】
第１の方法は、端末装置がアップリンクサブキャリアコマンドを受信した時間を現在の時間にする方法であり、第２の方法は、端末装置がアップリンクサブキャリアコマンドを受信したことをサービングノードに確認する時間を現在の時間にする方法である。
【００４１】
図２は、本発明の実施例を応用した図であり、図２において、高速アップリンクパケットアクセス技術を用いてダブルキャリアにおいてデータを伝送する。ダブルキャリアにおけるメインキャリア周波数を周波数１とし、サブキャリア周波数を周波数２とする。
【００４２】
端末装置の強化型専用チャネルのアクティブセットは次のようである。
メインキャリアの当該層の周波数、つまり、周波数１において、端末装置とノードＢ２のセル２との間に無線リンクが存在し、無線リンクマークは２であって、端末装置とノードＢ２のセル３との間に無線リンクが存在し、無線リンクマークは３である。その中、無線リンクマークが２である無線リンクが「メインサービング強化型専用チャネル無線リンク」であり、ノードＢ２はサービングノードＢである。
【００４３】
サブキャリアの当該層の周波数、つまり周波数２において、端末装置とノードＢ１のセル１との間に無線リンクが存在し、無線リンクマークは１であって、端末装置とノードＢ２のセル４との間に無線リンクが存在し、無線リンクマークは４であり、端末装置とノードＢ３のセル５との間に無線リンクが存在し、無線リンクマークは５であり、端末装置とノードＢ３のセル６との間に無線リンクが存在し、無線リンクマークは６である。その中、無線リンクマークが４である無線リンクは「サブサービング強化型専用チャネル無線リンク」であり、ノードＢ２がサービングノードＢであり、ノードＢ１とノードＢ２は非サービングノードＢである。
【００４４】
無線ネットワークコントローラ（Radio  Network  Controller、以下ＲＮＣと略称）とノードＢ１、ノードＢ２、ノードＢ３とはＩＵＢインターフェースを介して接続される。
【００４５】
以下の実施例は図２に基づくものである。
［実施例１］
図３は、本発明の実施例１に係る処理フローを示す図であり、図３に示すように、該実施例によると、ダブルキャリアの高速アップリンクパケットアクセス技術においてサブキャリアのアクティブ中に端末装置がサブキャリアの強化型専用チャネルのアクティブセット中の各セルにて同期を実現する方法、即ち、端末装置はサブキャリアのアクティブ処理オフセット時間だけ遅延した後のタイミングにおいて、非サービングノードＢのサブキャリアの強化型専用チャネルのアクティブセット中のセルにて同期を行う方法を提供する。
【００４６】
その中、端末装置は、システムメッセージを介してＲＮＣによって報知する方式によってサブキャリアのアクティブ処理オフセット時間を取得する。異なるノードＢに同一のサブキャリアのアクティブ処理オフセット時間を持たせる。現在の時間は、上記端末装置がサービングノードＢからアップリンクサブキャリアをアクティブにするコマンドを受信した時間である。端末装置が現在の時間をタイミングに、サービングノードＢのサブキャリアの強化型専用チャネルのアクティブセット中のセルにて同期を行う。
【００４７】
端末装置は、予め、システムメッセージを介し、ＲＮＣによって報知する方式でサブキャリアのアクティブ処理オフセット時間を取得する（ステップ３１０）。ノードＢ１とノードＢ３は同一のサブキャリアのアクティブ処理オフセット時間を有し、サブキャリアのアクティブ処理オフセット時間はフレームオフセット数によって表され、具体的には、６フレーム、つまり６０ミリ秒のサブキャリアのアクティブ処理オフセット時間である。
【００４８】
端末装置は、サービングノードＢ２からアップリンクサブキャリアをアクティブにするコマンドを受信し、サービングノードＢ２に当該コマンドを受信したことを確認する（ステップ３２０）。その中、端末装置は、高速共有制御チャネルコマンド(HS-SCCH ORDER)の方式によってサービングノードＢ２からアップリンクサブキャリアをアクティブにするコマンドを受信する。また、端末装置は、高速ダウンリンク共有チャネルの専用物理制御チャネル(HS-DPCCH)によって確認情報を運ぶ方式でサービングノードＢ２に確認する。端末装置がサービングノードＢ２からアップリンクサブキャリアをアクティブにするコマンドを受信した時間が現在の時間であり、接続フレーム番号で表し、具体的には２５３フレームである。
【００４９】
現在の時間において、つまり接続フレーム番号が２５３フレームであるタイミングにおいて、端末装置はサービングノードＢ２のサブキャリアの強化型専用チャネルのアクティブセット中のセル４において同期を行う（ステップ３３０）。
【００５０】
現在の時間、つまり接続フレーム番号が２５３フレームであるタイミング、サブキャリアのアクティブ処理オフセット時間である６フレームだけ遅延した後のタイミング、つまり（接続フレーム番号+フレームオフセット数）ｍｏｄ  ２５６＝（２５３+６）ｍｏｄ  ２５６＝３のタイミング、つまり次の接続フレーム番号が３であるタイミングにおいて、端末装置は非サービングノードＢ１のサブキャリアの強化型専用チャネルのアクティブセット中のセル１において同期を行い、端末装置は非サービングノードＢ３のサブキャリアの強化型専用チャネルのアクティブセット中のセル５とセル６において同期を行う（ステップ３４０）。
【００５１】
［実施例２］
図４は、本発明の実施例２に係る処理フローを示す図であり、図４に示すように、本実施例によると、ダブルキャリアの高速アップリンクパケットアクセス技術においてサブキャリアのアクティブ中に端末装置がサブキャリアの強化型専用チャネルのアクティブセット中の各セルにて同期を行なう方法、即ち、端末装置がサブキャリアのアクティブ処理オフセット時間だけ遅延した後のタイミングにおいて、非サービングノードＢのサブキャリアの強化型専用チャネルのアクティブセット中のセルにて同期を行なう方法を提供する。
【００５２】
その中、端末装置は、ダブルキャリアの高速アップリンクパケットアクセスリソースを構築、又は再配置、又は増加する際にＲＮＣによって報知する方式よってサブキャリアアクティブ処理オフセット時間を取得する。また、異なるノードＢに同等のサブキャリアのアクティブ処理オフセット時間を持たせる。現在の時間は、上記端末装置がサービングノードＢからアップリンクサブキャリアをアクティブにするコマンドを受信した時間である。上記端末装置は現在の時間を基準に、サブキャリアのアクティブ処理オフセット時間だけ遅延した後のタイミングにおいて、サービングノードＢのサブキャリアの強化型専用チャネルのアクティブセット中のセルにて同期を行なう。
【００５３】
端末装置は、ダブルキャリア高速アップリンクパケットアクセスリソースを構築、又は再配置、又は増加する際に、ＲＮＣが報知する方式によってサブキャリアアクティブ処理オフセット時間を取得する（ステップ４１０）。サービングノードＢ２、非サービングノードＢ１、ノードＢ３はいずれも同等のサブキャリアのアクティブ処理オフセット時間を有し、サブキャリアのアクティブ処理オフセット時間はフレームオフセット数で表し、具体的には３フレーム、つまり３０ミリ秒のサブキャリアアクティブ処理オフセット時間である。
【００５４】
端末装置は、サービングノードＢ２からアップリンクサブキャリアをアクティブにするコマンドを受信し、またサービングノードＢ２に上記コマンドを受信したことを確認する（ステップ４２０）。その中、端末装置は、高速共有制御チャネルコマンド(HS-SCCH ORDER)の方式でサービングノードＢ２からアップリンクサブキャリアをアクティブにするコマンドを受信する。端末装置は、高速ダウンリンク共有チャネルの専用物理制御チャネル(HS-DPCCH)によって確認情報を運ぶ方式でサービングノードＢ２に確認する。端末装置がサービングノードＢ２からアップリンクサブキャリアをアクティブにするコマンドを受信した時間は現在の時間であり、接続フレーム番号で表し、具体的には２２フレームである。
【００５５】
現在の時間、つまり接続フレーム番号が２２フレームであるタイミング、サブキャリアのアクティブ処理オフセット時間である３フレームだけ遅延したタイミング、つまり（接続フレーム番号+フレームオフセット数）ｍｏｄ  ２５６＝（２２+３）ｍｏｄ  ２５６＝２５のタイミング、つまり次の接続フレーム番号が２５であるタイミングにおいて、端末装置は、サービングノードＢ２のサブキャリアの強化型専用チャネルのアクティブセット中のセル４において、非サービングノードＢ１のサブキャリアの強化型専用チャネルのアクティブセット中のセル１において、非サービングノードＢ３のサブキャリアの強化型専用チャネルのアクティブセット中のセル５とセル６において同期を行なう（ステップ４３０）。
【００５６】
［実施例３］
図５は、本発明の実施例３に係る処理フローを示す図であり、図５に示すように、本実施例によると、ダブルキャリアの高速アップリンクパケットアクセス技術においてサブキャリアのアクティブ中に端末装置がサブキャリアの強化型専用チャネルのアクティブセット中の各セルにて同期を行なう方法、即ち、端末装置がサブキャリアのアクティブ処理オフセット時間だけ遅延した後のタイミングにおいて、非サービングノードＢのサブキャリアの強化型専用チャネルのアクティブセット中のセルにて同期を行なう方法を提供する。
【００５７】
その中、端末装置は、予め、ダブルキャリアの高速アップリンクパケットアクセスリソースを構築又は再配置又は増加する際にＲＮＣによって報知する方式によってサブキャリアのアクティブ処理オフセット時間を取得する。また、サブキャリアの強化型専用チャネルのアクティブセット中の異なるセルは異なるサブキャリアのアクティブ処理オフセット時間を持つ。現在の時間は上記端末装置がサービングノードＢからアップリンクサブキャリアをアクティブにするコマンドを受信した時間である。上記端末装置は現在の時間を基準に、サブキャリアのアクティブ処理オフセット時間だけ遅延した後のタイミングにおいて、サービングノードＢのサブキャリアの強化型専用チャネルのアクティブセット中のセルにて同期を行なう。
【００５８】
端末装置は、予め、ダブルキャリアの高速アップリンクパケットアクセスリソースを構築又は再配置又は増加する際にＲＮＣにより報知する方式によってサブキャリアアクティブ処理オフセット時間を取得する（ステップ５１０）。サブキャリアのアクティブ処理オフセット時間はフレームオフセット数で表し、サービングノードＢ２のサブキャリアアクティブ処理オフセット時間が３フレームであり、非サービングノードＢ１のサブキャリアアクティブ処理オフセット時間は５フレームであり、非サービングノードＢ３のサブキャリアアクティブ処理オフセット時間は７フレームである。
【００５９】
端末装置はサービングノードＢ２からアップリンクサブキャリアをアクティブにするコマンドを受信し、サービングノードＢ２に当該コマンドを受信したことを確認する（ステップ５２０）。その中、端末装置は、高速共有制御チャネルコマンド(HS-SCCH ORDER)の方式でサービングノードＢ２からアップリンクサブキャリアをアクティブにするコマンドを受信する。端末装置は、高速ダウンリンク共有チャネルの専用物理制御チャネル(HS-DPCCH)によって確認情報を運ぶ方式でサービングノードＢ２に確認する。端末装置がサービングノードＢ２からアップリンクサブキャリアをアクティブにするコマンドを受信した時間は現在の時間であり、接続フレーム番号で表され、具体的には３３フレームである。
【００６０】
現在の時間、つまり接続フレーム番号が３３フレームのタイミング、サービングノードＢ２のサブキャリアのアクティブ処理オフセット時間である３フレームだけ遅延した後のタイミング、つまり（接続フレーム番号+フレームオフセット数）ｍｏｄ２５６＝（３３+３）ｍｏｄ２５６＝３６のタイミング、つまり次の接続フレーム番号が３６であるタイミングにおいて、端末装置はサービングノードＢ２のサブキャリアの強化型専用チャネルのアクティブセット中のセル４において同期を行なう（ステップ５３０）。
【００６１】
現在の時間、つまり接続フレーム番号が３３フレームのタイミング、非サービングノードＢ１のサブキャリアのアクティブ処理オフセット時間である５フレームだけ遅延した後のタイミング、つまり（接続フレーム番号+フレームオフセット数）ｍｏｄ２５６＝（３３+５）ｍｏｄ２５６＝３８のタイミング、つまり次の接続フレーム番号が３８のタイミングにおいて、端末装置は非サービングノードＢ１のサブキャリアの強化型専用チャネルのアクティブセット中のセル１において同期を行なう（ステップ５４０）。
【００６２】
現在の時間、つまり接続フレーム番号が３３フレームのタイミング、非サービングノードＢ３のサブキャリアのアクティブ処理オフセット時間である７フレームだけ遅延した後のタイミング、つまり（接続フレーム番号+フレームオフセット数）ｍｏｄ２５６＝（３３+７）ｍｏｄ２５６＝４０のタイミング、つまり次の接続フレーム番号が４０のタイミングにおいて、端末装置は非サービングノードＢ３のサブキャリアの強化型専用チャネルのアクティブセット中のセル５とセル６において同期を行う（ステップ５５０）。
【００６３】
［実施例４］
図６は、本発明の実施例４に係る処理フローを示す図であり、図６に示すように、本実施例によると、ダブルキャリアの高速アップリンクパケットアクセス技術においてサブキャリアのアクティブ中に端末装置がサブキャリアの強化型専用チャネルのアクティブセット中の各セルにて同期を行う方法、即ち、端末装置がサブキャリアのアクティブ処理オフセット時間だけ遅延した後のタイミングにおいて、非サービングノードＢのサブキャリアの強化型専用チャネルのアクティブセット中のセルにて同期を行う方法を提供する。
【００６４】
その中、端末装置は、システムメッセージを介してＲＮＣによって報知する方式によってサブキャリアのアクティブ処理オフセット時間を予め取得する。異なるノードＢは同一のサブキャリアのアクティブ処理オフセット時間を持つ。現在の時間は端末装置がサービングノードＢに当該コマンドを受信したことを確認する時間である。端末装置は現在の時間をタイミングに、サービングノードＢのサブキャリアの強化型専用チャネルのアクティブセット中のセルにて同期を行う。
【００６５】
端末装置は、予め、システムメッセージを介してＲＮＣによって報知する方式でサブキャリアのアクティブ処理オフセット時間を取得する（ステップ６１０）。サブキャリアのアクティブ処理オフセット時間はフレームオフセット数で表し、非サービングノードＢ１のサブキャリアの強化型専用チャネルのアクティブセット中のセル１のサブキャリアアクティブ処理オフセット時間は１フレームであり、非サービングノードＢ３のサブキャリアの強化型専用チャネルのアクティブセット中のセル５のサブキャリアアクティブ処理オフセット時間は５フレームであり、非サービングノードＢ３のサブキャリアの強化型専用チャネルのアクティブセット中のセル６のサブキャリアアクティブ処理オフセット時間は６フレームである。
【００６６】
端末装置は、サービングノードＢ２からアップリンクサブキャリアをアクティブにするコマンドを受信し、サービングノードＢ２に上記コマンドを受信したことを確認する（ステップ６２０）。その中、端末装置は高速共有制御チャネルコマンド(HS-SCCH ORDER)の方式でサービングノードＢ２からアップリンクサブキャリアをアクティブにするコマンドを受信する。端末装置は高速ダウンリンク共有チャネルの専用物理制御チャネル(HS-DPCCH)によって確認情報を運ぶ方式でサービングノードＢ２に確認する。端末装置がサービングノードＢにコマンドの受信を確認する時間が現在の時間であり、接続フレーム番号で表し、具体的には２５１フレームである。
【００６７】
現在の時間、つまり接続フレーム番号が２５１フレームのタイミングにおいて、端末装置はサービングノードＢ２のサブキャリアの強化型専用チャネルのアクティブセット中のセル４において同期を行う（ステップ６３０）。
【００６８】
現在の時間、つまり接続フレーム番号が２５１フレームのタイミング、セル１のサブキャリアのアクティブ処理オフセット時間である１フレームだけ遅延した後のタイミング、つまり（接続フレーム番号+フレームオフセット数）ｍｏｄ  ２５６＝（２５１+１）ｍｏｄ２５６＝２５２のタイミング、つまり次の接続フレーム番号が２５２のタイミングにおいて、端末装置は非サービングノードＢ１のサブキャリアの強化型専用チャネルのアクティブセット中のセル１において同期を行う（ステップ６４０）。
【００６９】
現在の時間、つまり接続フレーム番号が２５１フレームであるタイミング、セル５のサブキャリアのアクティブ処理オフセット時間である５フレームだけ遅延した後のタイミング、つまり（接続フレーム番号+フレームオフセット数）ｍｏｄ２５６＝（２５１+５）ｍｏｄ２５６＝０のタイミング、つまり次の接続フレーム番号が０のタイミングにおいて、端末装置は非サービングノードＢ３のサブキャリアの強化型専用チャネルのアクティブセット中のセル５において同期を行う（ステップ６５０）。
【００７０】
現在の時間、つまり接続フレーム番号が２５１フレームのタイミング、セル６のサブキャリアのアクティブ処理オフセット時間である６フレームだけ遅延した後のタイミング、つまり（接続フレーム番号+フレームオフセット数）ｍｏｄ  ２５６＝（２５１+６）ｍｏｄ２５６＝１のタイミング、つまり次の接続フレーム番号が１のタイミングにおいて、端末装置は非サービングノードＢ３のサブキャリアの強化型専用チャネルのアクティブセット中のセル６において同期を行う（ステップ６６０）。
【００７１】
［装置実施例］
本実施例において端末装置を提供し、図７は、本発明の実施例に係る端末装置の構成を示すブロック図であり、図７に示すように、該装置は、受信ブロック７２と、取得ブロック７４と、同期ブロック７８と、を含む。
【００７２】
受信ブロック７２は、サービングノードＢからのアップリンクサブキャリアをアクティブにするコマンドを受信する。取得ブロック７４は、サブキャリアのアクティブ処理オフセット時間を取得する。同期ブロック７８は、受信ブロック７２と取得ブロック７４に接続され、現在の時間を基準に、サブキャリアのアクティブ処理オフセット時間に基づき、遅延した後の第１のタイミングにおいて、非サービングノードＢのサブキャリアの強化型専用チャネルのアクティブセット中のセルにて同期を行う。
【００７３】
図８は、本発明の実施例に係る端末装置の好適な構成を示すブロック図であり、図８に示すように、当該端末装置は、第１のタイミング=（接続フレーム番号+フレームオフセット数）ｍｏｄ２５６（その中、接続フレーム番号は現在の時間を表し、フレームオフセット数はサブキャリアのアクティブ処理オフセット時間を表し、ｍｏｄは剰余演算を表す）の式に従って第１のタイミングを算出する算出ブロック８２を更に含む。
【００７４】
その中、端末装置は、予め、システムメッセージを介し、ＲＮＣによって報知する方式、又はダブルキャリアの高速アップリンクパケットアクセスリソースを構築又は再配置又は増加する際にＲＮＣによって報知する方式でサブキャリアのアクティブ処理オフセット時間を取得する。
【００７５】
端末装置は、高速共有制御チャネルコマンドを介し、サービングノードＢからのアップリンクサブキャリアをアクティブにするコマンドを受信し、アップリンクサブキャリアをアクティブにするコマンドを受信した後、高速ダウンリンク共有チャネルの専用物理制御チャネルを介し、サービングノードにアップリンクサブキャリアをアクティブにするコマンドに応答する確認メッセージを送信する。
【００７６】
端末装置は、サービングノードＢのサブキャリアの強化型専用チャネルのアクティブセット中のセルにて同期を行い、例えば、端末装置は現在の時間を第２のタイミングとし、サービングノードＢのサブキャリアの強化型専用チャネルのアクティブセット中のセルにて同期を行うことができ、又は、端末装置は現在の時間を基準に、取得したサブキャリアのアクティブ処理オフセット時間に基づき遅延した後の第１のタイミングにおいて、サービングノードＢのサブキャリアの強化型専用チャネルのアクティブセット中のセルにて同期を行うことができる。
【００７７】
上記現在の時間を取得する好適な方法は以下の二種類がある。
第１の方法は、端末装置がアップリンクサブキャリアコマンドを受信した時間を現在の時間にする方法であり、第２の方法は、端末装置がサービングノードにアップリンクサブキャリアコマンドを受信したことを確認する時間を現在の時間にする方法である。
【００７８】
上述のように、上記の実施例によると、非サービングノードＢと端末装置が更に大きい検索窓を用いて同期を検出しなければならない問題を解決できる。上記の実施例において、非同期モードの替わりに同期モードで端末装置のセル同期を行うことによって、同期に必要な遅延を低減し、当該期間内のセル間の干渉を低減し、セルの容量及びカバー範囲に影響を与えることを避けることができる。
【００７９】
当業者にとっては、上述の本発明の各ブロック又は各ステップは汎用の計算装置によって実現することができ、単独の計算装置に集中させることができれば、複数の計算装置から構成されるネットワークに分散させることもでき、さらに計算装置が実行可能なプログラムのコードによって実現することもできるため、それらを記憶装置に記憶させて計算装置によって実行することができ、又は夫々集積回路ブロックに製作し、又はそれらにおける複数のブロック又はステップを単独の集積回路ブロックに製作して実現することができることは明らである。このように、本発明は如何なる特定のハードウェアとソフトウェアの組み合わせにも限定されない。
【００８０】
以上は、本発明の好適な実施例に過ぎず、本発明を限定するものではない。当業者であれば、本発明に様々な修正や変形が可能である。本発明の精神や原理内での如何なる修正、置換、改良などは本発明の保護範囲内に含まれる。
【図１】
0005492993.tif 000002
【図２】
0005492993.tif 000003
【図３】
0005492993.tif 000004
【図４】
0005492993.tif 000005
【図５】
0005492993.tif 000006
【図６】
0005492993.tif 000007
【図７】
0005492993.tif 000008
【図８】
0005492993.tif 000009